(57)【要約】【課題】  極めて簡単かつ安価な構成でありながら、停電時の非常放送への切り換えを確実に保証することができる放送装置を提供する。【解決手段】  この発明に係る放送装置１０によれば、通常時には、通常放送用の音声信号Ｓ１，Ｓ２，…が、個別の切換回路１４，１４，…を介して、各出力端子２８，２８，…から出力され、通常放送が行われる。そして、火災等の非常事態が発生すると、各切換回路１４，１４，…のリレー１６，１６，…が、非常放送装置１００から非常放送信号入力端子２２経由で入力される非常放送用の音声信号Ｅを各出力端子２８，２８，…から出力させるように切り換わり、非常放送が行われる。さらに、停電等によって主電源の供給が断たれると、各リレー１６，１６，…は、非常放送用の音声信号Ｅを出力させるという復帰状態になる。つまり、停電時にも、非常放送への切り換えが確実に保証される。【選択図】        図１
2008065685.tif 000002
【特許請求の範囲】
【請求項１】
外部に設けられた非常放送装置から非常放送信号が入力される第１入力端子と、
非常事態が発生しているか否かを表す状況信号が外部から入力される第２入力端子と、
上記非常放送信号および通常放送用の音源から発せられる通常放送信号のいずれか一方を選択して出力端子から出力させる切換手段と、
上記状況信号が上記非常事態の発生を表すとき上記非常放送信号を選択し該状況信号が該非常事態の非発生を表すとき上記通常放送信号を選択するように上記切換手段を制御する制御手段と、
を具備し、
上記切換手段は該切換手段を駆動するための電源が非供給のとき上記非常放送信号を選択する状態に構成された、
放送装置。
【請求項２】
上記状況信号は、上記非常事態の非発生を表すとき所定の電圧を示し、該非常事態の発生を表すとき略零の電圧を示す、請求項１に記載の放送装置。
【請求項３】
上記切換手段は、上記非常放送信号が入力される常時閉路接点端子と、上記通常放送信号が入力される常時開路接点端子と、上記出力端子に接続された共通接点端子と、を備えた単安定リレーを含む、請求項１または２に記載の放送装置。
【請求項４】
上記制御手段は純粋なハードウェアによって構成された、請求項１ないし３のいずれかに記載の放送装置。
【請求項５】
上記状況信号は上記非常放送装置から発せられる、請求項１ないし４のいずれかに記載の放送装置。
【請求項６】
複数の上記音源に対応して設けられた複数の上記切換手段と、該複数の切換手段に対応して設けられた複数の上記出力端子と、を備える、請求項１ないし５のいずれかに記載の放送装置。
【発明の詳細な説明】
【技術分野】
【０００１】
本発明は、放送装置に関し、特に火災等の非常事態が発生したときに外部に設けられた非常放送装置から入力される非常放送信号に従う非常放送に自動的に切り換える機能を備えた、放送装置に関する。
【背景技術】
【０００２】
この種の放送装置として、従来、例えば特許文献１に開示されたものがある。この従来技術によれば、非常放送装置が接続される外部入力端子と、この外部入力端子経由で入力される非常放送信号およびパワーアンプから入力される通常放送用の音声信号のいずれか一方を選択して出力端子から出力させるパワーアンプリレーと、このパワーアンプリレーを制御する制御手段としてのＣＰＵ（Central Processing Unit）と、が設けられている。ＣＰＵは、通常時、具体的には非常放送装置から非常信号が供給されていないときは、パワーアンプからの音声信号を選択するようにパワーアンプリレーを制御する。これによって、出力端子に接続されているスピーカから当該音声信号に従うＢＧＭ等の音声が出力され、いわゆる通常放送が行われる。一方、火災等の非常事態が発生すると、非常放送装置からＣＰＵに非常信号が供給される。ＣＰＵは、これを受けて、外部入力端子経由で入力される非常放送信号を選択するようにパワーアンプリレーを制御する。これにより、当該非常放送信号に従う警報等の非常音声がスピーカから出力され、つまり通常放送から非常放送に自動的に切り換わる。
【０００３】
【特許文献１】特開２００２−３４４４０６号公報（第００２２段落〜第００３１段落および図１）
【発明の開示】
【発明が解決しようとする課題】
【０００４】
ところで、火災等の非常事態が発生したときは、これに伴い、停電する可能性が高い。そして、もし停電すると、従来技術では、ＣＰＵが動作しなくなり、非常放送への切り換えが行われなくなる。これを回避するには、例えば、放送装置についても、非常放送装置と同様に、非常用電源の供給によって駆動させればよいが、そうすると、当該非常用電源の供給源を含む放送装置全体の構成が複雑化し、かつ高コスト化する。
【０００５】
そこで、本発明は、従来よりも極めて簡単かつ安価な構成でありながら停電等によって主電源の供給が断たれても非常放送への切り換えを確実に保証することができる放送装置を提供することを、目的とする。
【課題を解決するための手段】
【０００６】
この目的を達成するために、本発明は、外部に設けられた非常放送装置から非常放送信号が入力される第１入力端子と、非常事態が発生しているか否かを表す状況信号が外部から入力される第２入力端子と、非常放送信号および通常放送用の音源から発せられる通常放送信号のいずれか一方を選択して出力端子から出力させる切換手段と、状況信号が非常事態の発生を表すときには非常放送信号を選択し、当該状況信号が非常事態の非発生を表すときには通常放送信号を選択するように切換手段を制御する制御手段と、を具備する。そして、切換手段は、自己を駆動するための電源が非供給のときには非常放送信号を選択するように構成された、ものである。
【０００７】
即ち、本発明では、第２入力端子経由で入力される状況信号が、火災等の非常事態が発生していないことを表すとき、言わば通常時、制御信号は、通常放送用の音源から発せられる通常放送信号を選択するように切換手段を制御する。そして、この切換手段によって選択された通常放送信号は、出力端子から出力される。従って、出力端子にパワーアンプを介してスピーカが接続されている場合には、当該スピーカから通常放送信号に従う音声が出力され、つまり通常放送が行われる。一方、状況信号が非常事態の発生を表すとき、制御手段は、非常放送装置から第１入力端子経由で入力される非常放送信号を選択するように切換手段を制御する。これにより、スピーカから非常放送信号に従う音声が出力され、つまり通常放送から非常放送に切り換わる。さらに、停電等によって、本発明の放送装置への主電源の供給が断たれ、ひいては切換手段に対してもこれを駆動するための電源の供給が断たれると、当該切換手段は、非常放送信号を選択するという言わばデフォルト状態になる。従って、停電等により主電源の供給が断たれた場合にも、自動的に非常放送に切り換わる。また、言うまでもなく、主電源の供給線路が切断された場合にも、非常放送に切り換わる。
【０００８】
なお、本発明における状況信号は、非常事態が発生していないことを表すとき所定の電圧を示し、当該非常事態が発生していることを表すとき略零の電圧を示す信号であってもよい。このようにすれば、状況信号の伝送線路が切断または短絡した場合にも、当該状況信号は非常事態の発生時と同じ態様になり、よって通常放送から非常放送に切り換わる。
【０００９】
また、切換手段は、いわゆるトランスファ接点構成（またはｃ接点構成とも言う。）の単安定リレーを含むものであってもよい。この場合、当該リレーの常時閉路接点端子に、非常放送信号が入力され、常時開路接点端子に、通常放送信号が入力される。そして、当該リレーの共通接点端子は、出力端子に接続される。
【００１０】
さらに、制御手段は、ＣＰＵのようにソフトウェアを必要とするものではなく、純粋なハードウェアによって構成することができる。このようにすれば、制御手段をより簡単かつ安価に構成することができる。
【００１１】
そして、状況信号は、非常放送装置から発せられるものであってもよい。即ち、火災報知器等のセンサに連動してこのような状況信号を発する非常放送装置は数多く、本発明では、この非常放送装置から発せられる状況信号を利用してもよい。
【００１２】
そしてさらに、複数の音源に対応するべく、複数の切換手段と、これら複数の切換手段に対応する複数の出力端子と、を設けてもよい。
【発明の効果】
【００１３】
上述したように、本発明によれば、停電等によって主電源の供給が断たれると、切換手段が非常放送信号を選択するというデフォルト状態になり、非常放送に切り換わる。つまり、上述した従来技術とは異なり、停電等に対処するべく、非常用電源を必要としない。ゆえに、従来よりも極めて簡単かつ安価な構成でありながら、停電等により主電源の供給が断たれたときの非常放送への切り換えを確実に保証することができる。
【発明を実施するための最良の形態】
【００１４】
本発明の第１実施形態について、図１〜図７を参照して説明する。
【００１５】
図１に示すように、この第１実施形態に係る放送装置１０は、複数のバッファアンプ１２，１２，…を有している。そして、これらのバッファアンプ１２，１２，…には、それぞれ図示しない個別の音源から通常放送用の音声信号Ｓ１，Ｓ２，…が、入力される。なお、ここで言う音源としては、例えばマイクロホンやカセットテープレコーダ、音楽用ＣＤ（Compact Disc）再生装置、音声メモリ装置等がある。
【００１６】
バッファアンプ１２，１２，…は、それぞれに入力された音声信号Ｓ１，Ｓ２，…を増幅する。そして、増幅された音声信号Ｓ１，Ｓ２，…は、切換手段としての切換回路１４，１４，…に入力され、具体的には当該切換回路１４，１４，…に含まれるトランスファ接点構成の単安定リレー１６，１６，…の常時開路接点端子ＮＯ、ＮＯ，…に入力される。なお、リレー１６，１６，…を含む切換回路１４，１４，…は、電源回路１８から供給される例えば＋１２［Ｖ］の直流電圧Ｖｃｃを電源として駆動する。そして、電源回路１８は、電源入力端子２０を介して商用電源から供給される主電源としての１００［Ｖ］の交流電圧を基に、当該直流電圧Ｖｃｃを生成する。また、図には示さないが、バッファアンプ１２，１２，…や後述するミュート制御回路３０等の他の回路を駆動するための電源も、電源回路１８によって生成される。
【００１７】
さらに、放送装置１０は、外部に設けられた非常放送装置１００が接続される２つの入力端子２２および２４を有している。このうちの一方（図１において左側の端子）２２は、火災等の非常事態が発生したときに当該放送装置１０から出力される非常放送用の音声信号Ｅの入力を受け付けるための非常放送信号入力端子である。そして、放送装置１０内において、この非常放送信号入力端子２２は、上述の各リレー１６，１６，…の常時閉路接点端子ＮＣ、ＮＣ，…に接続されている。
【００１８】
これに対して、他方の端子２４は、非常放送装置１００から状況信号Ｖａの入力を受け付けるための状況信号入力端子である。具体的には、非常放送装置１００は、通常時、つまり火災等の非常事態が発生していないときには、当該状況信号Ｖａとして＋２４［Ｖ］の直流電圧を出力する。そして、非常事態が発生すると、当該状況信号Ｖａの電圧を０［Ｖ］とする。なお、非常事態が発生しているか否かは、非常放送装置１００に接続されている図示しない火災報知器等の各種センサによって検知される。
【００１９】
この状況信号入力端子２４を介して放送装置１０内に入力された状況信号Ｖａは、さらに制御手段としての切換制御回路２６に入力される。併せて、切換制御回路２６には、ミュート制御回路３０から、ミュート制御信号Ｍが入力される。そして、切換制御回路２６は、上述した電源回路１８から供給される直流電圧Ｖｃｃを駆動電源として、次のように動作する。
【００２０】
即ち、切換制御回路２６は、状況信号Ｖａとして＋２４［Ｖ］の直流電圧が入力されており、かつミュートオフを指示するミュート制御信号Ｍが入力されているときにのみ、各リレー１６，１６，…の常時開路接点端子ＮＯ、ＮＯ，…と共通端子ＣＯＭ，ＣＯＭ，…とをそれぞれ接続するように、つまり当該各リレー１６，１６，…を動作状態とするように、当該各リレー１６，１６，…を制御するための切換制御信号Ｄを出力する。一方、状況信号Ｖａの電圧が０［Ｖ］であるとき、またはミュート制御信号Ｍがミュートオンを指示しているときには、切換制御回路２６は、各リレー１６，１６，…の常時閉路接点端子ＮＣ、ＮＣ，…と共通端子ＣＯＭ，ＣＯＭ，…とをそれぞれ接続するように、つまり当該各リレー１６，１６，…を復帰状態とするように、切換制御信号Ｄを出力する。なお、ミュート制御信号Ｍは、図示しないミュートボタンが操作される等の特別な場合を除いて、主電源がオンされた直後、および当該主電源がオフされる直前にのみ、一定期間（数秒間）にわたって、ミュートオンを指示する状態になる。
【００２１】
各リレー１６，１６，…の共通端子ＣＯＭ，ＣＯＭ，…は、当該各リレー１６，１６，…に対応して設けられた個別の出力端子２８，２８，…に接続されている。そして、これらの出力端子２８，２８，…は、放送装置１０の外部に設けられた個別のパワーアンプ２００，２００，…の入力側にそれぞれ接続されており、当該各パワーアンプ２００，２００，…の出力側は、図示しない個別のスピーカ回線に接続されている。なお、説明するまでもないが、それぞれのスピーカ回線には、図示しない１以上のスピーカが例えば並列に接続されている。
【００２２】
このように構成された放送装置１０によれば、火災等の非常事態が発生していないとき、つまり非常放送装置１００から状況信号入力端子２４を介して＋２４［Ｖ］の状況信号Ｖａが入力されているときには、ミュート制御信号Ｍがミュートオンを指示する状態にならない限り、各リレー１６，１６，…の常時開路接点端子ＮＯ、ＮＯ，…と共通端子ＣＯＭ，ＣＯＭ，…とがそれぞれ接続される。従って、当該常時開路接点端子ＮＯ、ＮＯ，…に入力されている通常放送用の音声信号Ｓ１，Ｓ２，…が、各出力端子２８，２８，…から出力され、この通常放送用の音声信号Ｓ１，Ｓ２，…に従う音声、例えばアナウンス音やＢＧＭ等が、スピーカから出力され、つまり通常放送が行われる。なお、上述したように、主電源がオンされた直後、および当該主電源がオフされる直前は、一定期間にわたってミュート制御信号Ｍがミュートオンを指示する状態になるので、当該一定期間にわたってスピーカの出力がオフされる。これにより、主電源のオン／オフ時における不快なノイズ音の発生が防止される。また、上述したミュートボタンが操作された場合にも、スピーカの出力がオフされ、つまりミュートオンされる。
【００２３】
そして、火災等の非常事態が発生し、状況信号Ｖａの電圧が０［Ｖ］になると、ミュート制御信号Ｍがミュートオンおよびミュートオフのいずれを指示しているのかに拘らず、各リレー１６，１６，…の常時閉路接点端子ＮＣ、ＮＣ，…と共通端子ＣＯＭ，ＣＯＭ，…とがそれぞれ接続される。併せて、非常放送装置１００から非常放送信号入力端子２２を介して当該常時閉路接点端子ＮＣ、ＮＣ，…に非常放送用の音声信号Ｅが入力され、この音声信号Ｅは、各出力端子２８，２８，…から出力される。これにより、非常放送用の音声信号Ｅに従う音声、例えばシグナル音や注意喚起メッセージ等が、スピーカから出力され、つまり通常放送から非常放送に切り換わる。
【００２４】
さらに、非常事態の発生に伴って停電すると、電源回路１８が働かなくなり、この電源回路１８から各切換回路１４，１４，…への駆動電源Ｖｃｃの供給が断たれる。すると、各リレー１６，１６，…が復帰状態となり、当該各リレー１６，１６，…の常時閉路接点端子ＮＣ、ＮＣ，…と共通端子ＣＯＭ，ＣＯＭ，…とがそれぞれ接続され、非常放送に切り換わる。このことは、主電源の供給ラインが切断されたときも、同様である。
【００２５】
即ち、この第１実施形態によれば、停電等によって放送装置１０への主電源の供給が断たれたときにも、非常放送に切り換わる。しかも、この非常放送への切り換えは、各リレー１６，１６，…がデフォルト状態としての復帰状態に戻るという、言わば当該各リレー１６，１６，…の性質を利用して、実現される。従って、停電等に対処するのに非常電源を必要とする上述した従来技術に比べて、当該非常電源が不要であることを含め、極めて簡単かつ安価な構成でありながら、停電等によって電源の供給が断たれたときの非常放送への切り換えを確実に保証することができる。
【００２６】
さらに、この第１実施形態では、非常放送装置１００から放送装置１０の状況信号入力端子２４に至る状況信号Ｖａの伝送ラインが切断または短絡されると、当該状況信号Ｖａは０［Ｖ］となり、つまり非常事態発生時と同じ態様になる。従って、当該状況信号Ｖａの伝送ラインが切断または短絡されたときも、これが非常事態の発生と同格に捉えられ、自動的に非常放送に切り換わる。
【００２７】
また、この第１実施形態における各リレー１６，１６，…は、いわゆるミュート用としても機能し、換言すれば、非常放送への切換手段として、当該ミュート用のリレー１６，１６，…が兼用されている。このことも、放送装置１０の構成を簡素化し、かつ低コスト化するのに、大きく寄与している。
【００２８】
なお、この第１実施形態における制御回路２６は、例えば図２に示すような構成によって実現することができる。即ち、フォトカプラ２６０を設け、このフォトカプラ２６０の発光ダイオード２６２に電流制御用の抵抗器２６４を介して状況信号Ｖａが順方向に供給されるように構成する。一方、フォトトランジスタ２６６については、コレクタ端子に、反転回路を構成するディジタルトランジスタ（抵抗内蔵トランジスタ）２６８を介して、ミュート制御信号Ｍを供給すると共に、エミッタ端子を、抵抗器２７０経由で、接地電位に接続する。そして、この抵抗器２７０とフォトトランジスタ２６６のエミッタ端子との接続点に現れる信号を、切換制御信号Ｄとする。なお、ディジタルトランジスタ２６８は、上述した直流電圧Ｖｃｃを駆動電源とする。
【００２９】
この構成によれば、駆動電源Ｖｃｃが供給されていることを条件に、状況信号Ｖａとして＋２４［Ｖ］の直流電圧が入力されており、かつミュート制御信号Ｍがロー（Ｌ）レベル（≒０［Ｖ］）であるときにのみ、切換制御信号Ｄとしてハイ（Ｈ）レベル（≒Ｖｃｃ）の信号が出力される。そして、状況信号Ｖａの電圧が０［Ｖ］であるか、若しくはミュート制御信号Ｍがハイレベルまたはハイインピーダンス状態であるときには、切換制御信号Ｄとしてローレベルの信号が出力される。なお、停電等によって駆動電源Ｖｃｃの供給が断たれたときにも、切換制御信号Ｄはローレベルとなる。
【００３０】
このような切換制御信号Ｄを出力する制御回路２６に対して、当該切換制御信号Ｄの入力を受け付ける各々の切換回路１４は、例えば図３に示すような構成とすればよい。即ち、スイッチ手段としてのＮＰＮ型トランジスタ１４０を設け、このトランジスタ１４０のベース端子に、電流制御用の抵抗器１４２を介して切換制御信号Ｄが入力されるようにする。そして、このトランジスタ１４０のコレクタ端子に、リレー１６のコイル１６０を介して駆動電源Ｖｃｃを印加すると共に、エミッタ端子を、接地電位に接続する。さらに、コイル１６０と並行に、サージ吸収用のダイオード１４４を逆方向に接続する。
【００３１】
この構成によれば、切換制御信号Ｄがハイレベルであるとき、トランジスタ１４０がオンし、コイル１６０に電流が流れる。これにより、リレー１６の常時開路接点端子ＮＯと共通端子ＣＯＭとが接続され、通常放送が行われる。一方、切換制御信号Ｄがローレベルであるときは、トランジスタ１４０がオフするので、コイル１６０に電流が流れない。従って、リレー１６の常時閉路接点端子ＮＣと共通端子ＣＯＭとが接続され、非常放送が行われる。なお、停電等によって駆動電源Ｖｃｃの供給が断たれたときにも、コイル１６０に電流が流れないので、非常放送になる。
【００３２】
以上、この第１実施形態で説明した内容は、飽くまで本発明を実現するための一例であり、本発明を限定するものではない。
【００３３】
例えば、図１に示す構成では、主電源として、商用電源から供給される１００［Ｖ］の交流電圧を採用したが、これに限らず、２００［Ｖ］の交流電圧を採用してもよい。また、当該交流電圧は、単相でも３相でもよい。さらに、交流電圧ではなく、バッテリ等の直流電源から供給される直流電圧を、当該主電源として採用してもよい。
【００３４】
そして、状況信号Ｖａとして、通常時の電圧が＋２４［Ｖ］、非常事態発生時の電圧が０［Ｖ］となる信号を採用したが、これと逆の電圧を呈する信号を採用してもよいし、いわゆるＴＴＬ（Transistor-Transistor Logic）レベルの信号や接点信号等の他態様の信号を採用してもよい。併せて、この状況信号Ｖａは、非常放送装置１００から供給されるものとしたが、これ以外の装置、例えば火災報知器等の各種センサから直接供給されてもよい。また、バッファアンプ１２，切換回路１４および出力端子２８を、それぞれ複数としたが、これらは１つであってもよい。
【００３５】
図２についても、これ以外の構成によって切換制御回路２６を実現してもよい。例えば、フォトカプラ２６０に代えて、リレー等の他のスイッチング手段を採用してもよいし、ディジタルトランジスタ２６８に代えて一般のトランジスタ回路を採用してもよい。また、ＣＰＵを用いて、当該切換制御回路２６と同様の作用を奏する回路を実現してもよい。ただし、図２からも明らかなように、ソフトウェアを必要とするＣＰＵを用いなくとも、切換制御回路２６は、純粋なハードウェアによって構成することができる。このように純粋なハードウェアによって切換制御回路２６を構成することで、ＣＰＵを採用する上述した従来技術に比べて、当該切換制御回路２６を含む放送装置１０全体の構成をより簡素化しかつ低コスト化することができる。
【００３６】
図３についても同様に、これ以外の構成によって切換回路１４を実現してもよい。例えば、この切換回路１４に含まれるリレー１６として、いわゆる機械式リレーを採用したが、これに限らず、半導体リレー等の非機械式リレー、或いはハイブリッドリレーを採用してもよい。
【００３７】
ところで、図１の構成によれば、放送装置１０は、通常放送を行うのに、主電源が供給されていることに加えて、非常放送装置１００から状況信号Ｖａとして＋２４［Ｖ］の直流電圧が供給されていること、換言すれば当該非常放送装置１００が接続されていること、が必要とされる。つまり、放送装置１０単体では通常放送を行うことができない。そこで、放送装置１０単体でも通常放送を行えるようにするべく、当該放送装置１０を図４に示すような構成としてもよい。
【００３８】
即ち、電源回路１８として、上述した駆動電源Ｖｃｃの他に、通常時の状況信号Ｖａと同じ態様、つまり＋２４［Ｖ］の直流電圧Ｖｃｃ’、を生成する機能を備えたものを採用する。そして、この直流電圧Ｖｃｃ’を一旦外部に出力するための外部出力端子４０と、この外部出力端子４０から出力された直流電圧Ｖｃｃ’を言わばダミーの状況信号Ｖａ’として状況信号入力端子２４に入力する（言わば戻す）ためのジャンパ線４２と、を設ける。このようにすれば、非常放送装置１００がなくとも、放送装置１０単体で通常放送を行うことができる。
【００３９】
また、この場合、状況信号入力端子２４および外部出力端子４０として、例えば図５に示すように、互いに一体化されたものを採用すれば、これら両者２４および４０の構成が極めて簡素化されると共に、ジャンパ線４２の着脱が容易になる。
【００４０】
具体的には、一体の端子台４００と、この端子台４００に一列に設けられた４つのネジ止め式端子４０２，４０４，４０６および４０８と、を備えたものを採用する。そして、これら４つのネジ止め式端子４０２，４０４，４０６および４０８のうち、中央の２つの端子４０４および４０６を、状況信号入力端子２４として用いる。つまり、非常放送装置１００がある場合には、この中央の２つの端子４０４および４０６に当該非常放送装置１００が接続されるものとし、例えば、図５において右側の端子４０４をプラス（Ｖａ＋）側とし、左側の端子４０６をマイナス（Ｖａ−）として、これら両端子４０４および４０６に状況信号Ｖａが入力されるものとする。
【００４１】
そして、両端にある２つの端子４０２および４０８を、外部出力端子４０とする。詳しくは、上述のプラス側端子４０４の隣にある端子４０２をプラス側とし、マイナス側端子４０６の隣にある端子４０８をマイナス側として、これら両端子４０２および４０８にダミー状況信号Ｖａ’としての直流電圧Ｖｃｃ’が印加されるようにする。
【００４２】
このようにすれば、非常放送装置１００がないときには、互いに隣り合うプラス側端子４０２および４０４同士と、マイナス側端子４０６および４０８同士とを、それぞれジャンパ線４２で短絡することによって、当該非常放送装置１００がなくとも、放送装置１０単体で通常放送を行えるようになる。また、ジャンパ線４２として、一般に知られているコの字状ジャンパ板を採用することができ、当該ジャンパ線４２の着脱が容易になる。
【００４３】
また、上述の外部出力端子４０（図５に示した端子）に代えて、例えば図６に示すように、手動のスイッチ５０を設けてもよい。
【００４４】
即ち、状況信号入力端子２４経由で入力される状況信号Ｖａと、電源回路１８によって生成されるダミー状況信号Ｖａ’としての直流電圧Ｖｃｃ’との、いずれか一方を手動で選択できるように、当該スイッチ５０を設ける。そして、このスイッチ５０によって選択された状況信号Ｖａまたはダミー状況信号Ｖａ’（Ｖｃｃ’）が、切換制御回路２６に入力されるようにする。
【００４５】
このようにすれば、非常放送装置１００があるときには、状況信号Ｖａを選択するようにスイッチ５０を操作することで、当該非常放送装置１００と連動して放送装置１０を稼働させることができる。一方、非常放送装置１００がないときには、ダミー状況信号Ｖａ’を選択することで、放送装置１０単体で通常放送を行えるようになる。なお、スイッチ５０は、放送装置１０の外部から操作できるようにするのが、望ましい。
【００４６】
さらに、スイッチ５０に代えて、例えば図７に示すように、切換制御回路２６に手動のスイッチ６０を設けてもよい。
【００４７】
即ち、フォトカプラ２６０を構成するフォトトランジスタ２６６のコレクタ−エミッタ端子間をオン／オフするように、当該スイッチ６０を設ける。このようにすれば、非常放送装置１００があるときには、このスイッチ６０をオフ（開放）することで、当該非常放送装置１００と連動して放送装置１０を稼働させることができる。一方、非常放送装置１００がないときには、当該スイッチ６０をオン（短絡）することで、放送装置１０単体で通常放送を行えるようになる。なお、このスイッチ６０もまた、放送装置１０の外部から操作できるようにするのが、望ましい。
【００４８】
続いて、本発明の第２実施形態について、図８〜図１０を参照して説明する。
【００４９】
この第２実施形態に係る放送装置１０ａは、通常放送時に、それぞれの切換回路１４の属する出力系統毎にミュートオン／オフを制御可能としたものであり、図８に示すように、上述した図１の構成に対して、第２の切換回路７０と、個別ミュート制御手段としてのＣＰＵ８０と、が付加されたものである。
【００５０】
具体的には、第２切換回路７０は、切換回路１４，１４，…と同様に、トランスファ接点構成の単安定リレー７２を有しており、このリレー７２の常時閉路接点端子ＮＣに、非常放送信号入力端子２２が接続されている。そして、リレー７２の常時開路接点端子ＮＯは、接地電位に接続されており、共通端子ＣＯＭは、各切換回路１４，１４，…のリレー１６，１６，…の常時閉路接点端子ＮＣ，ＮＣ，…に接続されている。さらに、この第２切換回路７０には、電源回路１８から駆動電源Ｖｃｃが供給されると共に、切換制御回路２６から第２の切換制御信号Ｄ’が入力される。なお、この第２切換回路７０の具体的な構成は、上述した図３と同様であり、同図３における切換制御信号Ｄに代えて、第２切換制御信号Ｄ’が入力される。また、切換制御回路２６は、上述したミュート制御信号Ｍの態様に関係なく、駆動電源Ｖｃｃが正常に供給されていることを条件に、状況信号Ｖａが＋２４［Ｖ］のとき、第２切換制御信号Ｄ’としてハイレベルの信号を出力し、当該状況信号Ｖａが０［Ｖ］であるとき、第２切換制御信号Ｄ’としてローレベルの信号を出力する。
【００５１】
従って、第２切換回路７０に駆動電源Ｖｃｃが正常に供給されており、かつ第２切換制御信号Ｄ’がハイレベルであるとき、つまり通常放送時には、当該第２切換回路７０のリレー７２の常時開路接点端子ＮＯと共通端子ＣＯＭとが接続される。これにより、各切換回路１４，１４，…のリレー１６，１６，…の常時閉路接点端子ＮＣ，ＮＣ，…は、当該第２切換回路７０のリレー７２を介して、接地電位に接続される。一方、第２切換回路７０に駆動電源Ｖｃｃが供給されておらず、または第２切換制御信号Ｄ’がローレベルであるとき、つまり非常事態発生時には、当該第２切換回路７０のリレー７２の常時閉路接点端子ＮＣと共通端子ＣＯＭとが接続される。これにより、各切換回路１４，１４，…のリレー１６，１６，…の常時閉路接点端子ＮＣ，ＮＣ，…は、当該第２切換回路７０のリレー７２を介して、非常放送信号入力端子２２に接続される。
【００５２】
ＣＰＵ８０は、ミュート制御信号Ｍとは別の第２のミュート制御信号Ｍ’を、それぞれの切換回路１４毎に生成する。そして、このミュート制御信号Ｍ’は、それぞれの切換回路１４毎に与えられ、それぞれの切換回路１４は、当該第２ミュート制御信号Ｍ’に従って、次のように動作する。即ち、駆動電源Ｖｃｃが供給されており、かつ上述した切換制御信号Ｄがハイレベルであることを条件として、第２ミュート制御信号Ｍ’がハイレベルであるとき、切換回路１４は、リレー１６の常時閉路接点端子ＮＣと共通端子ＣＯＭとを接続する。これにより、当該切換回路１４の属する出力系統は、ミュートオンの状態になる。一方、第２ミュート制御信号Ｍ’がローレベルであるときには、切換回路１４は、リレー１６の常時開路接点端子ＮＯと共通端子ＣＯＭとを接続する。これにより、当該切換回路１４の属する出力系統は、ミュートオフの状態になる。なお、駆動電源Ｖｃｃが供給されておらず、または切換制御信号Ｄがローレベルであるときには、第１実施形態と同様、それぞれの切換回路１４のリレー１６の常時閉路接点端子ＮＣと共通端子ＣＯＭとが接続される。
【００５３】
なお、この第２実施形態における切換制御回路２６は、例えば図９に示すような構成とされる。即ち、上述した図２の構成において、フォトカプラ２６０のフォトトランジスタ２６６のエミッタ端子側に、ディジタルトランジスタ２６８が設けられる。具体的には、当該フォトトランジスタ２６６のエミッタ端子に現れる信号が、ディジタルトランジスタ２６８の駆動電源として用いられる。そして、このディジタルトランジスタ２６８の出力信号が、切換制御信号Ｄとされ、各切換回路１４，１４，…に入力される。なお、この切換制御信号Ｄを安定化させるべく、ディジタルトランジスタ２６８の出力端子には、プルダウン用の抵抗器２７２が設けられる。そして、フォトトランジスタ２６６のエミッタ端子に現れる信号は、第２切換制御信号Ｄ’としても用いられ、第２切換回路７０に入力される。
【００５４】
また、それぞれの切換回路１４は、例えば図１０に示すような構成とされている。即ち、上述した図３の構成に対して、反転回路としてのディジタルトランジスタ１４６が付加される。具体的には、ＣＰＵ８０からの第２ミュート制御信号Ｍが、当該ディジタルトランジスタ１４６に入力される。そして、このディジタルトランジスタ１４６の出力信号が、トランジスタ１４０のベース端子に入力される。
【００５５】
このような構成によって、この第２実施形態の放送装置１０ａによれば、通常放送時に、それぞれの出力系統毎にミュートのオン／オフ制御が可能となる。そして、停電時を含む非常事態発生時には、当該ミュートのオン／オフ制御に関係なく、非常放送に切り換わる。
【００５６】
なお、この第２実施形態においては、ＣＰＵ８０を採用したが、当該ＣＰＵ８０と同様の作用を奏する回路を、純粋なハードウェアで構成してもよい。そして、第２切換回路７０についても、この第２実施形態で説明したような構成のものではなく、例えばリレー７２に代えてアナログスイッチを有する回路等を採用してもよい。さらに、上述の第１実施形態においても、より良好なミュートオン効果を実現するべく、第２切換回路７０と同様の回路を設けてもよい。
【図面の簡単な説明】
【００５７】
【図１】本発明の第１実施形態の概略構成を示すブロック図である。
【図２】図１における切換制御回路の詳細を示す電気回路図である。
【図３】図１における切換回路の詳細を示す電気回路図である。
【図４】図１とは別の構成例を示すブロック図である。
【図５】図４における状況信号入力端子と外部出力端子との拡大図である。
【図６】図４とはさらに別の構成例を示すブロック図である。
【図７】図４および図６と同様の機能を実現するための別の例を示す図解図である。
【図８】本発明の第２実施形態の概略構成を示すブロック図である。
【図９】図８における切換制御回路の詳細を示す電気回路図である。
【図１０】図８における切換回路の詳細を示す電気回路図である。
【符号の説明】
【００５８】
１０  放送装置
１４  切換回路
１６  リレー
１８  電源回路
２２  非常放送入力端子
２４  状況信号入力端子
２６  制御回路
２８  出力回路
１００  非常放送装置
【図１】
2008065685.tif 000003
【図２】
2008065685.tif 000004
【図３】
2008065685.tif 000005
【図４】
2008065685.tif 000006
【図５】
2008065685.tif 000007
【図６】
2008065685.tif 000008
【図７】
2008065685.tif 000009
【図８】
2008065685.tif 000010
【図９】
2008065685.tif 000011
【図１０】
2008065685.tif 000012